(57)【要約】無線ローカルエリアネットワーク（ＷＬＡＮ）において同時送信を提供するシステム及び方法が与えられる。ＷＬＡＮは割り当てられたＴＤＭタイムスロットを介し情報を送信する複数の基地局と、この複数の基地局と通信するアクセスポイントからなり、このアクセスポイントはアクセス制御をモニタし、アクセスポイントの介入なく複数の基地局のペア間のデータ交換を可能にする時間割り当てを実行する。同時送信を確立するために、アクセスポイントは、各基地局によりリポートされた干渉電力レベルに基づき、互いに隠れている基地局のペアを決定するため、無線通信チャンネル上の基地局に信号メッセージを定期的に送信する。
2004530349.tif 000002
【特許請求の範囲】
【請求項１】
時分割多重アクセス（ＴＤＭＡ）通信システムにおいて無線送信を介して複数の基地局間の同時通信を提供する方法であって：
無線通信チャンネル上でアクセスポイントから前記複数の基地局に、複数の割り当てられた時分割多重（ＴＤＭ）タイムスロットを含む信号メッセージを定期的に配信するステップ；
前記複数の基地局のそれぞれから、前記信号メッセージのそれぞれに割り当てられたＴＤＭタイムスロットにおいて、隣接基地局からの干渉電力レベルを表す少なくとも１つのデータを受信するステップ；
前記同時送信のため、前記受信された干渉電力レベルに基づき、互いに隠れた送信側基地局と受信側基地局の最適なペアを決定するステップ；及び
前記決定を前記複数の基地局に配信するステップ；
からなることを特徴とする方法。
【請求項２】
請求項１記載の方法であって、さらに、前記アクセスポイントの介入なく前記基地局のペア間での情報パケットの前記同時通信を許可するステップを備えることを特徴とする方法。
【請求項３】
請求項１記載の方法であって、第１受信側基地局と第１送信側基地局からなる最適ペアは、前記第１受信基地局が前記第１送信基地局から一致して信号を受信した場合、選択されることを特徴とする方法。
【請求項４】
請求項１記載の方法であって、前記最適なペアの前記受信側基地局があるネットワークから他のネットワークへのハンドオフを実行しなかった場合、前記最適なペアが選択されることを特徴とする方法。
【請求項５】
アクセスポイントを利用することなく無線送信を介して複数の基地局間の同時通信を提供する方法であって：
現時点におけるデータ送信スケジュール及び干渉レベルを有するアクティブ基地局のテーブルを維持するステップ；
無線通信チャンネル上で、隣接基地局から干渉電力レベル情報を表す少なくとも１つのデータを送信するためのリクエストを含む信号メッセージを、前記アクセスポイントから前記複数の基地局に定期的に配信するステップ；
前記信号メッセージの割り当てられた時分割多重（ＴＤＭ）タイムスロットを介し前記基地局のそれぞれから各干渉情報を受信するステップ；
同時送信のため、前記リポートされた干渉情報に基づき、互いに隠れた基地局の少なくとも１つのペアを決定するステップ；及び
前記アクセスポイントの介入なく前記少なくとも１つの基地局のペア間での情報パケットの前記同時通信を許可するステップ；
からなることを特徴とする方法。
【請求項６】
請求項５記載の方法であって、前記信号メッセージは、前記複数の基地局のアドレス、データ送信のための前記基地局の現時点における電力レベル、データ送信のための前記送信の速度、及び前記アクセスポイントの関連情報を表すデータを含むことを特徴とする方法。
【請求項７】
請求項５記載の方法であって、さらに、前記複数の基地局に前記決定を配信するステップを備えることを特徴とする方法。
【請求項８】
請求項５記載の方法であって、前記同時送信が、相異なる複数のペアの前記受信側基地局が互いに異なる場合、許可されることを特徴とする方法。
【請求項９】
請求項５記載の方法であって、前記同時送信がペアの受信側基地局に、該受信側基地局が同一の送信側基地局から一致して信号を受信した場合、許可されることを特徴とする方法。
【請求項１０】
請求項５記載の方法であって、前記同時送信が、前記ペアの前記受信側基地局があるネットワークから他のネットワークへのハンドオフを実行しなかった場合、許可されることを特徴とする方法。
【請求項１１】
無線ＬＡＮにおいて同時送信を提供する無線送信システムであって：
無線カバー領域を備え、割り当てられたＴＤＭタイムスロットを介し情報を送信するよう動作する複数の基地局；及び
該複数の基地局と通信して、無線通信チャンネル上である基地局が隣接基地局から受信可能な干渉電力レベルを表すデータを送信するリクエストを配信する少なくとも１つのアクセスポイント；
からなり、前記複数の基地局の複数のペア間のデータ信号は前記アクセスポイントを利用することなく同時に交換可能であることを特徴とするシステム。
【請求項１２】
請求項１１記載のシステムであって、前記アクセスポイントは：
前記割り当てられたＴＤＭタイムスロットを介しリポートされる干渉レベルを送信のため規定された電力レベルと比較することにより、前記複数の基地局に対する同時送信候補を決定する手段；
前記アクセスポイントから／に受信された信号を変調／復調し、該信号が受信された相異なるタイムスロットで該受信された信号を送信する手段；及び
前記複数の基地局をＷＬＡＮに接続し、該複数の基地局と信号を交換する手段；
を備えることを特徴とするシステム。
【発明の詳細な説明】
【技術分野】
【０００１】
本発明は、無線ローカルエリアネットワーク（ＷＬＡＮ）に関し、特に無線ローカルエリアネットワーク（ＷＬＡＮ）におけるリンク容量を増加させる方法に関する。
【０００２】
［発明の説明］
無線ローカルエリアネットワーク（ＷＬＡＮ）は、オフィス、家庭、生産及び公共環境に無線アクセスの柔軟性を提供することを目的とした急成長のマーケットである。この前例のない成長は、エンドユーザ携帯機器の普及や無線データ通信の発達により促進されている。
【０００３】
ＷＬＡＮには基本的にインフラベース（ｉｎｆｒａｓｔｒｕｃｔｕｒｅ−ｂａｓｅｄ）とアドホック（ａｄ  ｈｏｃ）の２つの変形がある。図１は、他のネットワークとのアクセスを提供できるインフラネットワークの典型例を示す。このインフラベースの無線ネットワークでは、通信は基本的に無線ノード間で直接行われるのでなく、無線ノードとアクセスポイント（ＡＰ）との間でのみ行われる。図２（ａ）及び図２（ｂ）は、異なるエンドユーザ装置を有するアドホック無線ネットワークを示す。このアドホック無線ネットワークでは、各ノードは他のノードと、互いが同じ無線領域にいる場合、あるいは第３のノードがメッセージを転送することができる場合に、通信可能である。
【０００４】
インフラネットワークでは、基地局（ＳＴＡ）と呼ばれる無線ノードが、ＡＰを介してデータ交換を行うことができる。同一の無線範囲にある基地局とＡＰは、基本サービスセット（ＢＳＳ）として知られている。ＡＰの主要な機能は、ローミングのサポート（すなわち、アクセスポイントの切り替え）、ＢＳＳ内での同期をとること、電源管理のサポート、ＢＳＳ内での時間制限のあるサービスをサポートするための媒体アクセスの制御である。無線範囲領域の拡大のため、単一のネットワークを形成するよう分散システムと呼ばれるシステムを通じて、複数のＢＳＳ（あるいはＡＰ）が相互接続されている。
【０００５】
電線技術と対照的に、ＷＬＡＮは距離に関する制約があり、建物、キャンパス、部屋などに限られている。ＷＬＡＮは無線伝送に関する制約のためかなり低い帯域幅（典型的には、１〜１１Ｍｂ／ｓ）を備えている。したがって、ＷＬＡＮ内の無線リンク帯域幅を効率的に利用することが望ましい。
【０００６】
好適な実施例において、本発明はＷＬＡＮ内でのデータ送信を行う複数の携帯型エンドユーザ基地局間での同時送信を実行できる装置及びその方法を提供する。これによって、ネットワーク容量の増加が、隠れ端末が存在する部分的に接続されたＷＬＡＮにおいて実現される。
【０００７】
これより、無線送信を介し複数の基地局間での同時通信を提供する方法が与えられる。この方法は、無線通信チャンネル上でアクセスポイントから前記複数の基地局に、複数の割り当てられた時分割多重（ＴＤＭ）タイムスロットを含む信号メッセージを定期的に配信するステップ、前記基地局のそれぞれから、対応する前記信号メッセージの割り当てられたＴＤＭタイムスロットの隣接基地局からの干渉電力レベルを表す少なくとも１つのデータを受信するステップ、前記同時送信のため、前記受信された干渉電力レベルに基づき、互いに隠れた送信側基地局と受信側基地局の最適なペアを決定するステップ、及び前記決定を前記複数の基地局に配信するステップからなる。
【０００８】
無線ＬＡＮで同時送信の提供が可能な無線送信システムが請求項６において与えられる。
【０００９】
本発明の上記特徴及び効果は、図面を参照することにより以下の詳細な説明からより明らかになるであろう。
【００１０】
以下の説明では、本発明の十分な理解のため、特定のアーキテクチャ、インターフェイス、テクニックなどの具体例が与えられるが、それは本発明を制限するためでなく、その説明を目的としている。本発明はこのような具体例から離れた他の実施例においても実現されうるということは当業者には明らかであろう。さらに、簡単化のため、既知の装置、回路及び方法に関する詳細な説明は、不要な詳細により本発明の説明をわかりにくくすることがないよう省略される。
【００１１】
図３を参照するに、本発明は部分的に接続されたＷＬＡＮ内におけるリンク容量を増加させる同時送信方法を提供する。本発明によるＷＬＡＮは、アクセスポイント（ＡＰ）１４に接続された、基地局（ＳＴＡｉ）１０と呼ばれる複数のノードを備える。本発明では、２つ（あるいはそれ以上）の基地局が基地局間でのピアツウピア（ｐｅｅｒ−ｔｏ−ｐｅｅｒ）送信を通じて、同時にパケット送信を実行することが可能な仕組みが提供される。基地局１０は、例えば、ラップトップコンピュータ、携帯電話、ＰＤＡ（Ｐｅｒｓｏｎａｌ  Ｄｉｇｉｔａｌ  Ａｓｓｉｓｔａｎｔ）、ＰＣＡ（Ｐｅｒｓｏｎａｌ  Ｃｏｍｍｕｎｉｃａｔｉｏｎ  Ａｓｓｉｓｔａｎｔ）、電子手帳、双方向テレビリモコン（ｉｎｔｅｒａｃｔｉｖｅ  ＴＶ／ｓｅｔ−ｔｏｐ  ｂｏｘ  ｒｅｍｏｔｅ  ｃｏｎｔｒｏｌ）、任意の双方向デバイス（ｄｕｐｌｅｘ  ｉｎｔｅｒａｃｔｉｖｅ  ｄｅｖｉｃｅ）のような他の携帯コンピュータデバイスからなる。
【００１２】
図４を参照するに、本発明によるＡＰ１４は、同期をサポートし媒体アクセスを制御する各アクティブＳＴＡと、通信が実行されるネットワーク内の固定基地局である。本発明の実施例では、ＡＰ１４は、衝突のない環境でのＳＴＡ間のデータ交換を実現するため、ＳＴＡからの信号をモニタするという役割をもっている。したがって、ＡＰ１４の役割は、共通のタイミングベーシスを提供し、ＷＬＡＮにおいてアクティブなＳＴＡに通信リソースを割り当てることである。各基地局は、無線媒体へのアクセスメカニズム及びＡＰ１４への無線接触を備える。したがって、部分的に接続されたＷＬＡＮは、ＡＰ１４及びアクセス権限や対応するサービスの質を有するデータ媒体の制御のような基本サービスのためのインフラに依存する。また、ここでは無線ＳＴＡ間の直接的な通信が可能である。
【００１３】
アクティブなＳＴＡ間での通信を可能にするＡＰ１４の主要な構成要素は、制御プロセッサ２０、送信マルチプレクサ２２、送信パケットＦＩＦＯ２４、受信マルチプレクサ２６、受信パケットＦＩＦＯ２８、メモリ３０及び送信／受信インターフェイス３２からなる。制御部２０は、ＡＰ１４の機能の全体の管理と、送受信間におけるすべてのデータ信号に関しバス３４を介した無線ＬＡＮ３６とのインターフェイスの管理を行っている。制御部２０は、プログラムされたインストラクション、ＷＬＡＮアクセスインストラクション、競合制御（ｃｏｎｔｅｎｔｉｏｎ  ｒｅｓｏｌｕｔｉｏｎ  ｉｎｓｔｒｕｃｔｉｏｎ）及びデータ交換のための通信機能インストラクションが記録された（図示されない）ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を備える。制御部２０は、すべてのアクティブＳＴＡのリストを記録するため、メモリ３０に接続されている。アクティブなＳＴＡから受信した信号を変調するＲｘマルチプレクサ２６は、ＲｘＦＩＦＯ２８からのデータを制御部２０へ転送できるよう具備される。同様に、アクティブなＳＴＡへの信号を変調するＴｘマルチプレクサ２２は、ＴｘＦＩＦＯ２４からのデータをアクティブなＳＴＡへ転送できるよう具備される。
【００１４】
本発明による同時送信をサポートするための割り当てられたタイムスロットに関して、詳細な説明が与えられる。
【００１５】
図３を参照するに、ＳＴＡ１の送信領域はＳＴＡ２に到達可能であるが、ＳＴＡ３とＳＴＡ４には到達できない。同時に、ＳＴＡ３の送信領域はＳＴＡ４には到達可能であるが、ＳＴＡ１及びＳＴＡ２には到達できない。したがって、ＳＴＡ１とＳＴＡ２はＳＴＡ３とＳＴＡ４から隠れており、その逆も成り立つ。ＳＴＡ１とＳＴＡ３（またＳＴＡ４）が互いに通信できる唯一の方法は、ＡＰ１４を介してのみである。図５に示されるように、本発明の基礎となるＭＡＣプロトコルでは、ＴＤＭＡアクセスモードを利用して媒体アクセスを調整することにより、ＳＴＡ１とＳＴＡ２のペアとＳＴＡ３とＳＴＡ４のペアが、ＡＰ１４なしで互いに同時に直接データを交換することが可能である。
【００１６】
本発明の好適な実施例によると、各ネットワークフレームは、ＡＰ１４からＢＳＳのすべてのアクティブなＳＴＡへビーコンを送信することから始まる。図５を参照するに、ビーコンフィールドには、各ＳＴＡへのタイムスロットの割り当てに関する情報が示されている。その情報には、ＡＰ１４についての情報だけでなく同期情報も含まれる。これにより新たなＳＴＡがＡＰ１４と連携することができる。このタイムスロット割り当て情報に基づき、各基地局は保留になっているトラフィックをいつ送信すべきか、そして／または発信済のトラフィックをいつ受信すべきかについて決定することができる。例えば、図５において、ビーコンは、（Ｔ１，  Ｔ２）間のタイムスロットがＳＴＡ１のＳＴＡ２への送信のためであり、（Ｔ２，  Ｔ３）間のタイムスロットがＳＴＡ３のＳＴＡ４への送信のためであり、（Ｔ４，  Ｔ５）間のタイムスロットがランダムアクセス（ＲＡ）のためのものであるということを知らせる。これにより各ＳＴＡは割り当てられたタイムスロットの始めに保留中のトラフィックの送信を開始し、このタイムスロットの終わりまでに送信を完了させる。ネットワークフレームのサイズは、サポートされているアプリケーションに依存して異なりうる。例えば、もしネットワークによりサポートされているインタラクティブボイスアプリケーション（ｉｎｔｅｒａｃｔｉｖｅ  ｖｏｉｃｅ  ａｐｐｌｉｃａｔｉｏｎ）があれば、ネットワークフレームのサイズあるいはビーコン送信間隔は典型的には２０ミリセカンド未満になるであろう。しかしながら、放送映像アプリケーションのみがサポートされていれば、ネットワークフレームサイズは１００ミリセカンドになりうる。このように、ネットワーク状況に依存して時間の経過とともに、ネットワークフレームサイズは調整される。
【００１７】
本発明の実施例においては、コネクションレス型（ｃｏｎｎｅｃｔｉｏｎ−ｌｅｓｓ）非同期トラフィックがランダムアクセスベースのＭＡＣに基づきＲＡピリオドにおいて送信されるのに対し、有界の遅延を要求しスループットを保証するアイソクロナストラフィック（ｉｓｏｃｈｒｏｎｏｕｓ  ｔｒａｆｆｉｃ）は割り当てられたタイムスロットにおいてコネクション型（ｃｏｎｎｅｃｔｉｏｎ−ｏｒｉｅｎｔｅｄ）の方法により送信される。ランダムアクセス（ＲＡ）ピリオドにおいて、ＳＴＡは新しい接続のため新たな帯域幅の確保（あるいはタイムスロット割り当て）をリクエストすることができる。適切なリクエストのそれぞれに対し、ＡＰは許可制御（ａｄｍｉｓｓｉｏｎ  ｃｏｎｔｒｏｌ）を実行し、既存接続のパフォーマンスに影響を与えることなくリクエストされた接続のサポートが可能かどうかチェックする。接続が可能であれば、ＡＰは必要な帯域幅を確保し、この接続のためのタイムスロットを割り当て、次のネットワークフレームを開始する。しかしながら、競合ベースアクセス（ｃｏｎｔｅｎｔｉｏｎ−ｂａｓｅｄ  ａｃｃｅｓｓ）の性質のためＲＡピリオドにおける送信が衝突する可能性がある。そのようなＲＡピリオドでの衝突を防ぐため、ＩＥＥＥ８０２．１１無線ＬＡＮ基準における衝突回避（ＣＳＭＡ／ＣＡ）スキームを備えた搬送波感知多重アクセス（ｃａｒｒｉｅｒ  ｓｅｎｓｅ  ｍｕｌｔｉｐｌｅ  ａｃｃｅｓｓ）が利用されてもよい。当業者にはよく知られた他のＭＡＣプロトコルも利用可能である。
【００１８】
基本的に、ＣＳＭＡ／ＣＡプロトコルでは、基地局は送信開始前に搬送波を検出するための共通の施設を他の１つ以上の基地局と共有する必要がある。搬送波検出プロセスでは、他の基地局あるいは隠れ基地局が送信中と確認されると、送信側の基地局からの送信を一時的にストップするよう動作が実行される。もし媒体が所定の時間アイドル状態であると確認されれば、基地局は即座に媒体にアクセスすることができる。もし媒体がビジー状態であれば、送信側の基地局はＣＷ（ｃｏｎｔｅｎｔｉｏｎ  ｗｉｎｄｏｗ）によりランダムバックオフタイム（ｒａｎｄｏｍ  ｂａｃｋ−ｏｆｆ  ｔｉｍｅ）の期間待つ必要がある。
【００１９】
隠れ端末があるとき、ＣＳＭＡ／ＣＡは良好に機能しない。８０２．１１に利用されているように、この隠れ端末の処理のため、Ｒｅｑｕｅｓｔ  ｔｏ  Ｓｅｎｄ（ＲＴＳ）／Ｃｌｅａｒ  ｔｏ  Ｓｅｎｄ（ＣＴＳ）機構がＣＳＭＡ／ＣＡに関連して使用されうる。すなわち、ＳＴＡがバックオフ後パケットの送信を決定すると、送信時間情報をもったＲＴＳパケットがまず送信される。受信側のＳＴＡは送信時間情報をもったＣＴＳパケットを返信する。ＣＴＳがうまく受信された後、送信側のＳＴＡはパケットを送信する。ＲＴＳまたはＣＴＳを受け取ったすべてのＳＴＡは、通知された当該パケットの送信時間内は通信を行わない。ＲＴＳ／ＣＴＳと共にＣＳＭＡ／ＣＡもよく知られたものであるので、さらなる詳細な説明は省略される。
【００２０】
本発明の実施例においては基地局（ＳＴＡ１とＳＴＡ２）のペアと基地局（ＳＴＡ３とＳＴＡ４）のペアとの間では、アクティブな通信は図８に示されるような１つの（周波数）無線チャンネルにおいて同時に行われる。図３では図示のためＳＴＡの数は制限されているが、ＷＬＡＮはより多くのＳＴＡ間での同時通信をサポートすることができる。したがって、この図面におけるＳＴＡの数は本発明の範囲を何ら制限するものでない。好適な実施例においては、ＡＰは各アクティブＳＴＡの他のＳＴＡとの干渉レベル関係を更新する。これは、（１）ＡＰが定期的にビーコンを送信することによりスロットの割り当てをアナウンスし、（２）各ＳＴＡが直近のネットワークフレームにおいて各送信者から受信状態をレポートすることにより実行される。受信状態は受信信号強度（ＲＳＳ）に関して表される。図６のテーブルは、アクティブなＳＴＡのリストと、各アクティブＳＴＡと他のＳＴＡとの間の信号強度レベルのリストである。
【００２１】
図７を参照するに、アクティブなＳＴＡはＡＰ１４からビーコンフレーム通知を受信し、次のネットワークフレームにおいてどの時点でどのＳＴＡに送信すべきかを決定するためにこのビーコンフレーム通知を処理する。それから、各アクティブノードは各ＳＴＡのＡＰ１４への受信信号強度レベルを示すリターン信号を送信する。好ましくは、各アクティブノードはそれが割り当てられているタイムスロットにおいて、あるいは、もし割り当てがされていなければ、ランダムアクセスピリオドにおいて、リターン信号をＡＰに送信する。その後、ＡＰ１４は受信した各アクティブＳＴＡの信号強度レベルを反映させるために前述のテーブルを更新し、すべてのＳＴＡに新たにタイムスロットを割り当てる。更新された情報に基づき、ＡＰ１４はどの基地局が互いに隠れているか確認することができる。もし受信した信号の質が設定されている限界以下まで劣化しているか、あるいは（詳細については後述される）ある条件が満たされるとき、ＡＰ１４からアクティブＳＴＡへの次のフレームメッセージが、複数のピアツウピア送信のための時間割り当てを指定するために送信される。各ビーコンフレームを受信すると、各アクティブＳＴＡはそのビーコン信号を処理し、同時送信のための時間割り当てを決定する。
【００２２】
ＷＬＡＮアクセス及びフレーム取得のためのプログラムされたインストラクションが図７に示され、以下で説明される。
【００２３】
図７は複数の端末のペアが同時送信のため図３に示されるＷＬＡＮの共有媒体にどのようにアクセスすることができるかについて説明したフローチャートである。ステップ１００において、ＷＬＡＮにおける共有媒体を介した複数のＳＴＡのペア間の同時送信をサポートする方法が開始される。ステップ１００では、ＡＰ１４はネットワーク上のすべてのＳＴＡから定期的に受信状況に関する情報を集める。ＳＴＡの受信状況情報は確保されているタイムスロットにおいてレポートされる他のＳＴＡから受信された送信信号強度により規定される。例えば、ＳＴＡ２が受信側の端末であり、他の端末からの予想されるパケットに関する許容干渉の最大値を知っているとき、他の端末から受信された信号レベルに基づき、パケットが受信可能かどうかついてチェックする。受信側端末ＳＴＡ２はパケットを適切に受信するのにどの程度の信号対干渉比（ＳＩＲ）が必要か知っている。したがって、ＡＰ１４からビーコンフレームを受信すると、受信基地局は適切な送信に必要なＳＩＲが満たされるよう必要な信号レベルを決める。また、この情報がネットワークフレームの開始時点にベーコンを通じて伝播されると、各基地局はどのＳＴＡにどのスロットが割り当てられるか知るようになる。
【００２４】
ステップ１１０において、受信信号強度表示（ＲＳＳＩ）及び送信パケットについての最小送信電力レベルに基づき、各基地局はパケットが適切に受信されるかどうか予測することができる。この方法において、受信信号強度（ＲＳＳ）は、目的の信号（あるいはパケット）が適切に受信されればその信号レベルを表示し、そうでなければその干渉レベルを表示する。例えば、ＳＴＡ２はＴ１からＴ２までのタイムピリオドではＳＴＡ１からパケットをきちんと受信し、Ｔ２からＴ３までのタイムピリオドではＳＴＡ３からの送信を受信することができなかったということをレポートする。図５に示されるように、ＳＴＡ１及びＳＴＡ３のような割り当てられたタイムスロットを有するＳＴＡは、そのタイムスロット期間中に受信状況をレポートすることができるが、ＳＴＡ２やＳＴＡ４のような他の基地局は、ＲＡピリオドにおいて受信状況をレポートしなければならない。また、ＡＰは任意のデータフレームを受信することができるので、データトラフィックの目的地に関係なく、受信状況情報は通常のデータトラフィックにピギーバック（ｐｉｇｇｙ  ｂａｃｋｅｄ）されうる。
【００２５】
ステップ１２０において、もしＳＴＡが他のＳＴＡの送信を適切に受信することができなければ、各基地局は、例えば、当該フレームの直前及び（あるいは）直後に受信したＲＳＳＩレベルの組み合わせを利用して、現在の干渉レベルを表す。また、ＡＰは任意のデータフレームの受信が可能であるので、干渉関連の情報を有する受信状況情報はデータトラフィックの目的地に関係なく通常のデータトラフィックにピギーバックされうる。ステップ１１０〜１２０の実行後、ＡＰ１４はカバー領域内の無線リンク接続状況の全体像を把握することになる。時間と共に変化する無線リンクの性質上、この接続状況に関する全体像も時間と共に変動する。ステップ１２０においてネットワークの接続状況を知ることにより、ＡＰ１４は２つ（あるいはさらに多く）のＳＴＡに同時送信のためのタイムスロットを割り当てることができる。例えば、図３において、隠れ端末（ＳＴＡ２とＳＴＡ３）が受信状況情報に基づき互いに通信できないということがわかると、ＳＴＡ１とＳＴＡ３が同時に送信するよう調整される。
【００２６】
しかしながら、ステップ１３０において、同時送信の調整の前に、許容パラメータが満足されているかどうか決定される。まず、ステップ１４０において、同時送信のためにステップ１２０において決定された受信基地局の候補が同じであるかどうか確認される。もし同じであれば、同時送信は許可されない。
【００２７】
その後、ステップ１５０において、基地局によりレポートされた干渉レベルが所定の干渉レベルの閾値以上かどうか決定される。もし干渉レベルがこの閾値以上でなければ、同時送信は許可されない。もしこの条件が満たされていれば、ステップ１６０において、送信側あるいは受信側の基地局のどちらかが移動パターンを示しているかどうかが確認される。典型的には、ＳＴＡの移動パターンは時間と共に変化する受信状況情報をモニタすることにより検出されうる。もし時間変動している移動パターンが検出されれば、その基地局は同時送信が許可されない。ここで、送受信領域が時間と共に変化しているとき、移動中のＳＴＡは送信者であると考えられる。さらに、ステップ１６０において、もしステップ１２０で決定されたＳＴＡが（複数のＡＰを有するセル構造のＷＬＡＮの場合）ハンドオフ（ｈａｎｄ−ｏｆｆ）を実行すれば、そのデータはこれから再び移動するかもしれないので、同時送信による送信は許可されない。
【００２８】
最後に、ステップ１７０において、ステップ１４０〜１６０のすべての許容パラメータが満足されれば、ＡＰ１４は同時送信のためのタイムスロットと必要な帯域幅を割り当てる。
【００２９】
ここまでを要約すると、本発明は、ネットワークのリンク容量を拡大するために、設定パラメータに基づき部分的に接続されたＷＬＡＮ内の基地局のペアの同時送信を提供する。ここで提案された同時送信メカニズムは、ＳＴＡ間のピアツウピア送信により、任意のＴＤＭＡベースの無線システムで実現可能である。
【００３０】
さらに、本発明は、同時送信のパフォーマンスのさらなる向上を可能にする２つの要素を調整することによって、さらなる改善がなされうる。第１に、周知のように、電力制御スキームにより、目標となるＳＴＡへの距離に応じて、必要なビットエラーレートを満たすのに必要な最小の電力レベルでパケットの送信を行うことが可能である。送信領域（あるいは図３（ａ）の円）は、送信側のＳＴＡの送信電力レベルに応じ変化する。したがって、もしより多くの隠れ基地局がネットワークに含まれるよう電力レベルが調整されれば、本発明はより高い同時送信率をサポートするよう調整され、それによって、同一ネットワーク内でのリンク容量を拡大することができるようになる。
【００３１】
第２に、ＡＰ１４が同時送信を許可すれば、受信側によりレポートされる干渉レベルに応じ、送信側により低い速度で（それゆえよりロウバストに）送信の実行を指示することが望ましいかもしれない。この場合、ＡＰはトータルのシステムスループットの点で、低速の伝送速度での同時送信が高速のものより優れたパフォーマンスを実現するかどうか判断しなければならない。
【００３２】
したがって、２つ（あるいはそれ以上）の相異なる受信機での同時送信の開始前、ＡＰは上記要素に関して同時送信が実行可能であるかどうか決定するため、短めのテストピリオドを実現してもよい。すなわち、このテストピリオドにおいて候補となる送信機に短めのテストパケットを送信するよう指示し、その後受信状況について受信側から応答を受けることにより、ＡＰは同時送信の実現可能性を把握することができる。
【００３３】
ここまでＷＬＡＮにおける同時送信のための通信方法が好適な実施例を利用して説明されてきたが、本システムの効果の実現は当業者には明らかなであるだろう。本発明は、上述の実施例により実現可能であるが、発明の基本原理または範囲を逸脱することなくこの実施例に類似の機能を提供できる他の変形例が当業者には容易に考えられるであろう。
【図面の簡単な説明】
【００３４】
【図１】図１は、他のネットワークへのアクセスを提供するインフラネットワークの典型例を示す。
【図２】図２（ａ）及び図２（ｂ）は、２つのアドホック無線ネットワークを示す。
【図３】図３は、本発明による部分的に接続されたＷＬＡＮを示す。
【図４】図４は、本発明の実施例によるアクセスポイント（ＡＰ）の簡単化したブロック図を示す。
【図５】図５は、本発明の実施例による媒体アクセス制御（ＭＡＣ）ネットワークフレームの基本構造を示す。
【図６】図６は、本発明によるアクセスポイントに記憶されたテーブルを示す。
【図７】図７は、ピアツウピア送信を提供するリソースを割り当てるプロセスを示すフローチャートを示す。
【図８】図８は、本発明によるＭＡＣデータプロトコルにおける同時送信を描いた図を示す。
【国際公開パンフレット】
2004530349.tif 000003
2004530349.tif 000004
2004530349.tif 000005
2004530349.tif 000006
2004530349.tif 000007
2004530349.tif 000008
2004530349.tif 000009
2004530349.tif 000010
2004530349.tif 000011
2004530349.tif 000012
2004530349.tif 000013
2004530349.tif 000014
2004530349.tif 000015
2004530349.tif 000016
2004530349.tif 000017
2004530349.tif 000018
2004530349.tif 000019
2004530349.tif 000020
2004530349.tif 000021
2004530349.tif 000022
【国際公開パンフレット（コレクトバージョン）】
2004530349.tif 000023
【国際調査報告】
2004530349.tif 000024
2004530349.tif 000025